(57)【特許請求の範囲】
【請求項１】
面構成部材により衛生用紙を収納し得る内部空間が区画形成された箱状で、前記面構成部材に衛生用紙を取り出すための取出口領域を包囲する環状の取出口用切込線が形成された衛生用紙収納カートンであって、
前記面構成部材の一部を外側に展開してフック部を構成するためのフック部用切込線が形成され、前記フック部用切込線は、前記フック部の基端で断絶しており、基端を起点に曲げられて外側に展開され、
前記フック部は外側に展開された状態において、前記面構成部材の一面から離れるように前記基端から延びる基端部と、前記一面と略平行な方向に前記基端部の先端部から延びる捕捉部と、前記一面に近づくように前記捕捉部の先端部から延びる抜け止め部と、から構成され、
前記基端部と前記抜け止め部との間に内側保持領域が形成され、
前記基端における折曲線と、前記抜け止め部の先端の前記フック部用切込線とが略一直線上に位置している衛生用紙収納カートン。
【請求項２】
前記フック部用切込線により前記フック部が複数設けられる請求項１に記載の衛生用紙収納カートン。
【請求項３】
２つの前記フック部の連結一体化により成る一つの連結体フックを構成可能にする連結スリットを構成するためのスリット用切込線が当該連結されるフック部のそれぞれに形成された請求項２に記載の衛生用紙収納カートン。
【請求項４】
前記スリット用切込線が当該連結されるフック部のそれぞれに前記連結スリットが抱き合わせ関係となるように複数本形成されている請求項３に記載の衛生用紙収納カートン。
【請求項５】
前記連結体フックが複数構成可能にされた請求項３又は４に記載の衛生用紙収納カートン。
【請求項６】
前記複数のフック部が同側向きに構成される請求項２から請求項５のうちいずれか一項に記載の衛生用紙収納カートン。
【請求項７】
前記フック部用切込線を前記取出口領域の反対面に有する請求項１から請求項６のうちいずれか一項に記載の衛生用紙収納カートン。
【請求項８】
前記フック部を掛け止める相手部材を当該フック部の内側に保持する内側保持領域が、前記取出口領域から垂直な方向に配置可能にされた請求項７に記載の衛生用紙収納カートン。
【発明の詳細な説明】
【技術分野】
【０００１】
本発明は、ティシュペーパー等の衛生用紙を収納するための衛生用紙収納カートンに関する。
【背景技術】
【０００２】
近年、都心への人口集中の結果、一人あたりの居住面積が減少している。ティシュカートンについても、生活者から「置き場所を増やしたい」「省スペースに設置したい」等の意見が出ている。
しかし、ティシュカートンは内包するティシュの折り畳みシート寸法よりも大きい必要があることから、コンパクト化には限界があり、壁や引き出し等に吊り下げない限りはテーブルなどの天面上のスペースをゼロにすることが難しい。
また、現在のティシュカートン形状では、壁や柱、引き出し等に吊り下げて使用することは難しく、生活者はティシュカートンにカバーをつけて、カバーの紐をフックに通し、吊り下げることで、壁に掛け止めて使用していた。
そこで、引き出しの取っ手等に係止して使用できる係止部材をカートンの面構成部材により同カートンに設けることで、他の部材を使用せずにカートン単体でも引き出しの取っ手等に係止して使用できるようにすることが一つの課題となる。
かかる課題に対応して特許文献１−３には、カートンの底面、側面等を構成する部材の一部を外側に展開させた係止部材を構成できる衛生用紙収納カートンが記載されている。
【先行技術文献】
【特許文献】
【０００３】
【特許文献１】特開２００３−２１２２３０号公報
【特許文献２】特開２０１３−００６６２１号公報
【特許文献３】特開２００５−２１９８０９号公報
【発明の概要】
【発明が解決しようとする課題】
【０００４】
しかし、特許文献１−３に記載の係止部材はフック状ではなく、２枚の舌片（タブ）を連結してループ状に構成するものや、一枚の舌片（タブ）に取付用の孔を形成したループ状のものであり、係止する相手部材がフックや片持ち棒である場合を想定しているため、係止する相手部材が両持ち取っ手等のループ状である場合は、取付作業が煩雑になったり、取付不可であったりするという問題がある。
【０００５】
本発明は以上の従来技術における問題に鑑みてなされたものであって、引き出しの取っ手等に掛け止めて使用できるフックを衛生用紙収納カートンの面構成部材により同カートンに設けることで、他の部材を使用せずに同カートン単体でも引き出しの取っ手等に掛け止めて使用できるようにすること、さらには同フックの耐久性、掛け止めて使用する場合に同カートンからの衛生用紙の取り出し性を良好にすることを課題とする。
【課題を解決するための手段】
【０００６】
以上の課題を解決するための請求項１記載の発明は、面構成部材により衛生用紙を収納し得る内部空間が区画形成された箱状で、前記面構成部材に衛生用紙を取り出すための取出口領域を包囲する環状の取出口用切込線が形成された衛生用紙収納カートンであって、
前記面構成部材の一部を外側に展開してフック部を構成するためのフック部用切込線が形成され、前記フック部用切込線は、前記フック部の基端で断絶しており、基端を起点に曲げられて外側に展開され、
前記フック部は外側に展開された状態において、前記面構成部材の一面から離れるように前記基端から延びる基端部と、前記一面と略平行な方向に前記基端部の先端部から延びる捕捉部と、前記一面に近づくように前記捕捉部の先端部から延びる抜け止め部と、から構成され、
前記基端部と前記抜け止め部との間に内側保持領域が形成され、
前記基端における折曲線と、前記抜け止め部の先端の前記フック部用切込線とが略一直線上に位置している衛生用紙収納カートンである。
【０００７】
請求項１記載の発明によれば、引き出しの取っ手等に掛け止めて使用できるフックを衛生用紙収納カートンの面構成部材により同カートンに設けることができるため、他の部材を使用せずに同カートン単体でも引き出しの取っ手等に掛け止めて使用できるようにすることができる。フックであるので、掛け止める相手部材がループ状である場合にも取付が容易である。また、フック部を掛け止める相手部材からの抜けを防止でき、ひいてはカートンの脱落を防止できる。
【０００８】
請求項２記載の発明は、前記フック部用切込線により前記フック部が複数設けられる請求項１に記載の衛生用紙収納カートンである。
【０００９】
請求項２記載の発明によれば、複数のフックにより複数の支点が設けられてカートンを安定的に支持することができ、荷重を複数のフックに分散でき、フックの耐久性を向上でき、ひいてはカートンの脱落を防止できる。
【００１０】
請求項３記載の発明は、２つの前記フック部の連結一体化により成る一つの連結体フックを構成可能にする連結スリットを構成するためのスリット用切込線が当該連結されるフック部のそれぞれに形成された請求項２に記載の衛生用紙収納カートンである。
【００１１】
請求項３記載の発明によれば、フック単体の耐久性を向上することができ、ひいてはカートンの脱落を防止できる。
【００１２】
請求項４記載の発明は、前記スリット用切込線が当該連結されるフック部のそれぞれに前記連結スリットが抱き合わせ関係となるように複数本形成されている請求項３に記載の衛生用紙収納カートンである。
【００１３】
請求項４記載の発明によれば、フック単体の耐久性を向上することができ、ひいてはカートンの脱落を防止できる。
【００１４】
請求項５記載の発明は、前記連結体フックが複数構成可能にされた請求項３又は４に記載の衛生用紙収納カートンである。
【００１５】
請求項５記載の発明によれば、フック単体の耐久性が向上されるとともに、荷重を複数のフックに分散してカートンを安定的に支持することができ、ひいてはカートンの脱落を防止できる。
【００１６】
請求項６記載の発明は、前記複数のフック部が同側向きに構成される請求項２から請求項５のうちいずれか一項に記載の衛生用紙収納カートンである。
【００１７】
請求項６記載の発明によれば、複数のフックが互いに反対側向きに構成されることなく、同側向きに構成されるので、複数のフックを同時に使用してカートンを掛け止めることが容易である。
【００１８】
請求項７記載の発明は、前記フック部用切込線を前記取出口領域の反対面に有する請求項１から請求項６のうちいずれか一項に記載の衛生用紙収納カートンである。
【００１９】
請求項７記載の発明によれば、引き出しの取っ手等に掛け止めて取出口を取り出しやすい方向へ向けることが容易であり、これにより衛生用紙の取り出し性を良好にすることができる。
【００２０】
請求項８記載の発明は、前記フック部を掛け止める相手部材を当該フック部内側に保持する内側保持領域が、前記取出口領域から垂直な方向に配置可能にされた請求項７に記載の衛生用紙収納カートンである。
【００２１】
請求項８記載の発明によれば、取出口からの衛生用紙の取出時にカートンに負荷される引っ張り力の略軸線上にフックの内側保持領域、従って、掛け止める相手部材を配置することができるために、フックの内側保持領域の位置が上すぎる場合に生じるカートンの揺れ動きを抑えて取り出し性を良好にすることができるとともに、フックの内側保持領域の位置が下すぎる場合に生じるカートンの脱落やカートンを掛け止められない事態を防止できる。
【発明の効果】
【００２２】
本発明によれば、引き出しの取っ手等に掛け止めて使用できるフックを衛生用紙収納カートンの面構成部材により同カートンに設けることで、他の部材を使用せずに同カートン単体でも引き出しの取っ手等に掛け止めて使用できるようにすること、さらには同フックの耐久性、掛け止めて使用する場合に同カートンからの衛生用紙の取り出し性を良好にすることができる。
【図面の簡単な説明】
【００２３】
【図１】本発明の一実施形態に係る衛生用紙収納カートンの組立てフック構成済み状態の斜視図であり、各フック部に連結スリットを１本有するもので連結体フックが構成されたものを示す。
【図２】本発明の一実施形態に係る衛生用紙収納カートンの展開平面図である。
【図３】本発明の一実施形態に係る衛生用紙収納カートンの２つのフック部の拡大平面図である。
【図４】本発明の一実施形態に係る衛生用紙収納カートンの掛け止め形態を示す側面図である。
【図５】本発明の一実施形態に係る衛生用紙収納カートンの２つのフック部の拡大平面図であり、各フック部に連結スリットを構成するためのスリット用切込線を１本有するものを示す。
【図６】本発明の一実施形態に係る衛生用紙収納カートンの２つのフック部の拡大平面図であり、各フック部に連結スリットを構成するためのスリット用切込線を２本有するものを示す。
【図７】本発明の一実施形態に係る衛生用紙収納カートンの組立てフック構成済み状態の斜視図であり、各フック部に連結スリットを２本有するもので連結体フックが構成されたものを示す。
【図８】本発明の一実施形態に係る衛生用紙収納カートンの掛け止め形態を示す上面図であり、各フック部に連結スリットを１本有するもので連結体フックが構成されたものを示す。
【発明を実施するための形態】
【００２４】
以下に本発明の一実施形態につき図面を参照して説明する。以下は本発明の一実施形態であって本発明を限定するものではない。
【００２５】
本実施形態の衛生用紙収納カートン１００は、ティシュペーパー、キッチンペーパーなどの衛生用紙を収納するカートンである。
図１に示すように衛生用紙収納カートン１００は、直方体であり、衛生用紙を取り出すための取出口領域２１が設けられた面を上面として、上面構成部材２０と、底面構成部材３０と、一対の側面構成部材４１，４２と、一対の妻面構成部材５１，５２とにより衛生用紙を収納し得る内部空間が区画形成された箱状に形成されている。
【００２６】
図１及び図２に示すように上面構成部材２０に取出口領域２１を包囲する環状の取出口用切込線２２が形成されている。取出口領域２１は、上面構成部材２０の長辺に平行に長く形成されている。上面構成部材２０の２つの長辺に隣接して一対の側面構成部材４１，４２が連続しており、上面構成部材２０の２つの短辺に隣接して一対の妻面構成部材５１，５２が連続している。
底面構成部材３０は、上面構成部材２０の反対面である。底面構成部材３０の２つの長辺に隣接して一対の側面構成部材４１，４２が連続しており、底面構成部材３０の２つの短辺に隣接して一対の妻面構成部材５１，５２が連続している。
衛生用紙収納カートン１００は、以上のような構成の箱体である。形状は一例であってこれに限定されるものではない。
【００２７】
底面構成部材３０に４つのフック部３１（３１ａ−ｄ）が構成される。フック部３１は、底面構成部材３０の一部を衛生用紙収納カートン１００の外側に展開して構成されるもので、そのためにフック部用切込線３５が形成されている。
図３に示すフック部３１の基端３２でフック部用切込線３５は断絶しており、フック部３１は展開後にも衛生用紙収納カートン１００本体に繋がった一部として使用される。フック部３１の展開後も、底面構成部材３０のうちフック部３１以外の部分は、衛生用紙収納カートン１００の底面Ｂに配置されたままである。
４つのフック部３１（３１ａ−ｄ）は、すべて同一形状である。但し、フック部３１ａとフック部３１ｂとが対称形に、フック部３１ｃとフック部３１ｄとが対称形に形成される。
図３に示すように、フック部３１は、基端３２を起点に曲げられて外側に展開される。フック部３１は外側に展開された状態において、底面Ｂから離れるように基端３２から延びる基端部３３ｐと、底面Ｂと略平行な方向に基端部３３ｐの先端部から延びる捕捉部３３ｑと、底面Ｂに近づくように捕捉部３３ｑの先端部から延びる抜け止め部３３ｒとから構成される。
抜け止め部３３ｒの先端と底面Ｂとの間に開放部が構成される。この開放部を通してフック部３１を掛け止める相手部材をフック部３１内側の内側保持領域３４に通過させる。抜け止め部３３ｒは、抜け止め作用を発揮するために開放部を狭めるように突出している。
衛生用紙収納カートン１００の構成部材は主に紙製が望ましいが、フック部３１が形成可能であれば、紙製に限らず、樹脂によって形成されてもよい。その可撓性により、使用者が指で摘まむなどしてフック部３１を撓ませて上記開放部を広げることができる。
【００２８】
以上の４つのフック部３１（３１ａ−ｄ）を外側に展開することによって、図４に示すように引き出しなどの正面板２００に固定された取っ手２０１に掛け止めることができる。取っ手のほかタオル掛けなどがフック部３１を掛け止める相手部材になり得るが、様々なものが相手部材となり得る。
フック部３１を少なくとも１つ使用して掛け止める。そのため、衛生用紙収納カートン１００のフック部３１を少なくとも１つ構成できるようにフック部用切込線３５を形成する。
しかし、掛け止められた状態での衛生用紙収納カートン１００の安定性、フック部の耐久性等のために、フック部３１を複数構成し、掛け止め時にも複数を使用することが好ましい。
複数のフック部３１を同時に使用することを容易にするために、複数のフック部３１（３１ａ−ｄ）は同側向きに構成される。例えば、フック部３１ａの基端部３３ｐから見た抜け止め部３３ｒ（開放部）の方向は、側面構成部材４２の存在面に向かう。他のフック部３１ｂ−ｄについても同様であるので同側向きである。９０度以内で相対角が付けられることは許容されるが、水平方向に延在する棒に引っ掛ける場合には、内側保持領域３４が実質的に狭くなるので、同側向き、かつ、平行にすることが好ましい。
また、衛生用紙収納カートン１００を垂直に長くした状態で設置すると、収納された衛生用紙が自重により下に偏在しやすい。そのため、図示例のようにフック部３１の基端部３３ｐから見た抜け止め部３３ｒ（開放部）の方向が側面構成部材４２の存在面に向かうことが好ましい。これにより、衛生用紙収納カートン１００を水平に長くした状態で設置できる。
【００２９】
４つのフック部３１（３１ａ−ｄ）は、底面構成部材３０の長手方向に並んで構成され、一方の側面構成部材４２側に開放部が向くように構成されるので、図４に示すように一方の側面構成部材４２が下、他方の側面構成部材４１が上、一対の妻面構成部材５１，５２が左右、上面構成部材２０が正面を向き、底面構成部材３０が正面板２００側に向くように掛け止められる。このとき、底面構成部材３０と側面構成部材４２との稜線をつくる縁が正面板２００に当接して支持されて一定の角度で安定する。
フック部３１（３１ａ−ｄ）が衛生用紙収納カートン１００の長手方向に並んでいるので、多数のフック部を構成し、これを同時に使用して掛け止めることが容易である。
また、内側保持領域３４が、取出口領域２１から垂直な方向に配置される。なお、この垂直な方向は取出口領域２１が設けられた上面に垂直な方向に相当する。このため、取出口からの衛生用紙の取出時に衛生用紙収納カートン１００に負荷される引っ張り力の略軸線上にフック部３１の内側保持領域３４、従って、掛け止める相手部材を配置することができるために、フック部３１の内側保持領域３４の位置が上すぎる場合に生じるカートンの揺れ動きを抑えて取り出し性を良好にすることができるとともに、フック部３１の内側保持領域３４の位置が下すぎる場合に生じる衛生用紙収納カートン１００の脱落や衛生用紙収納カートン１００を掛け止められない事態を防止できる。好ましくは、取出口領域２１内における取出口領域２１の長手方向中心線から取出口領域２１の存在面（衛生用紙収納カートン１００の上面）に垂直な方向（図４の直線Ｃ上）に内側保持領域３４の一部が存在するように配置する。
【００３０】
さらに連結体フック（１０ａ，１０ｂ又は１０ｃ，１０ｄ）を構成する場合につき説明する。
図５に示すように、連結スリット３６ｐ，３６ｑを構成するためのスリット用切込線３６ｐ，３６ｑ（連結スリットと符号共通）が互いに連結されるフック部３１ａとフック部３１ｂに形成され、互いに連結されるフック部３１ｃとフック部３１ｄにも形成される。
連結スリット３６ｐ，３６ｑは、捕捉部３３ｑの延設方向に沿って設けられる。一方の連結スリット３６ｐは、捕捉部３３ｑの先端側から切り込まれ、他方の連結スリット３６ｑは、捕捉部３３ｑの基端側から切り込まれて、互いに逆方向に切り込まれて形成される。
この連結スリット３６ｐ，３６ｑが設けられることにより、フック部３１ａとフック部３１ｂとを互いの相手の連結スリットに自身の部材を挿し込むようにして抱き合わせに連結し、図１に示すように一体化することができる。他の組のフック部３１ｃとフック部３１ｄについても同様に連結一体化が可能である。
すなわち、２つのフック部の連結一体化により成る一つの連結体フックを構成可能である。図１に示すように複数（図示例で２つ）の連結体フック１０ａ，１０ｂが構成される。
【００３１】
また、図６に示すように、抱き合わせ関係になる連結スリット３６ｐ，３６ｑを構成するためのスリット用切込線３６ｐ，３６ｑをそれぞれ複数本（図示例で２本）とすることで、図７に示すように強固に連結された連結体フック１０ｃ，１０ｄが構成される。連結スリット３６ｐ，３６ｑを複数本とすることで、２つの捕捉部３３ｑ及び２つの抜け止め部３３ｒ同士を互いに近い位置で略平行に重ねることができ、掛け止め作業のしやすい連結体フック１０ｃ，１０ｄが構成できる。特に、連結するだけで２つの捕捉部３３ｑが重ね合わされるので、使用者が２つの捕捉部３３ｑを摘まむことが誘導され、１つの捕捉部３３ｑのみが摘ままれてフック部が引き裂かれることを防止できる。
【００３２】
図１に示す１本ずつの連結スリット３６ｐ，３６ｑによる連結体フック１０ａ，１０ｂの場合でも、図７に示す複数本ずつの連結スリット３６ｐ，３６ｑによる連結体フック１０ｃ，１０ｄの場合でも、図４に示すような態様で衛生用紙収納カートン１００を掛け止めることができる。１本ずつの連結スリット３６ｐ，３６ｑによる連結体フック１０ａ，１０ｂの場合の掛け止め状態を上から見た図を図８に示した。
【００３３】
図示例のように連結体フック（１０ａ，１０ｂ又は１０ｃ，１０ｄ）を左右一対で支持する構成とすることが好ましい。２支点を構成する２つの連結体フックにより、合計４枚のフック部の強度をもって衛生用紙収納カートン１００を安定的に支持できる耐久性の高いフックを最少枚数で底面構成部材３０の限られた面積を利用して構成することができるからである。
また、フック部を４枚使用して耐久性の向上を図る一方で、別個独立したフックが４つになるのでなく、一体化した連結体フックが２つであるので、別個独立したフック３つ以上の場合に比較して掛け止め作業が容易である。
【００３４】
図４に示す距離ｄ１を底面Ｂの短手方向の幅に応じて適度に設ける。距離ｄ１は、取出口領域２１の長手方向中心線から底面Ｂに垂直に内側保持領域３４に落とした直線Ｃから、内側保持領域３４内を通って、基端部３３ｐの内縁までの距離である。
表１に示すように距離ｄ１を様々に変えて衛生用紙収納カートン１００を試作し、実際に引き出しに取り付けた状態で使用して、衛生用紙収納カートン１００の使用評価を行った。底面Ｂの短手方向の幅を１１５ｍｍとした場合には、ｄ１＝１０ｍｍ（表１：ＡＡＡ）では、最も安定して使用可能であった。ｄ１＝５ｍｍ，２０ｍｍ，３０ｍｍ（表１：ＡＡ）では、衛生用紙収納カートン１００の揺れ動きも小さく安定して使用可能であった。ｄ１＝５０ｍｍ，４０ｍｍ（表１：Ａ）では、使用可能だが衛生用紙収納カートン１００の揺れ動きが大きく、フック部の破断の危険性もあった。ｄ１＝０ｍｍ（表１：Ｂ）では、取り出し口に対して衛生用紙を上方向に引き出した場合に衛生用紙収納カートン１００の落下の恐れがあった。ｄ１＝−５ｍｍ，−１０ｍｍ（表１：Ｃ）では、取り出し口方向に衛生用紙を引き出した場合にも衛生用紙収納カートン１００の落下の恐れがあった。
距離ｄ１を底面Ｂの短手方向の幅の０〜５０％の範囲とした場合に使用可能であるが、特に距離ｄ１を底面Ｂの短手方向の幅の０〜３０％の範囲とした場合に安定して使用可能である。さらに取り出し性を良好にするには距離ｄ１を底面Ｂの短手方向の幅の５〜１０％の範囲とすることが好ましい。
【００３５】
【表１】
0006588213.tif 000002
【００３６】
また、図３に示す距離ｄ２を１０ｍｍ以上とすることが好ましい。距離ｄ２は互いに連結されるフック部間の底面Ｂ上での離間距離である。フック部３１の使用時等にフック部３１の基礎部分が破断することを防止するためである。
【００３７】
二箇所設けた連結体フック（１０ａ，１０ｂ又は１０ｃ，１０ｄ）の中心間の距離ｄ３（図８参照）は、７０ｍｍ〜９５ｍｍの範囲とすることが好ましい。
距離ｄ３は、引き出しの取っ手の内幅を超えてはならない（取っ手にかからなくなる）という構造的制約がある。
引き出しの取っ手の内幅は、人の手幅（親指を除く、人差し指から小指までの間の、手のひらの長さ）を基準に構成される。成人男性の手幅は平均８３．３ｍｍ、最大値９５．１ｍｍというデータがある。（AIST（独立行政法人 産業総合研究所）手の寸法データベースより引用)
したがって、距離ｄ３は９５ｍｍを越えないことが好ましい。
距離ｄ３が７０ｍｍを下回ると、衛生用紙収納カートン１００の安定性が劣る。また、２つの連結体フックを構成するために、内側の隣り合うフック部３１ｂとフック部３１ｃは距離ｄ３内に設けられるので、底面Ｂからの延出寸法（図３に示す距離ｄ４相当）を十分に有したフック部、従って図３の距離ｄ５を十分に有したフック部を構成し難いからである。
但し、距離ｄ４および距離ｄ５については、内側保持領域３４を十分に構成可能な範囲内であれば、特に限定されない。
【００３８】
一方、距離ｄ３が９５ｍｍを越えても、洗面所等に設置してあるタオルかけの棒のような水平に充分に長い棒に対して取り付けることは可能である。
但し、この場合には、引き出しの取っ手の場合と比較して、掛け止め相手の棒とこの棒が支持される壁面との間の隙間が大きい場合が多くなるために、衛生用紙収納カートン１００の下端（上述した底面構成部材３０と側面構成部材４２との稜線をつくる縁）をその壁面に当接支持させる設置態様が取れないことから、カートンの揺動、落下を防ぐために、フック部の位置をカートン底面の上端寄りにすることが好ましい（この場合、フック部の開放部から見て基端側が上端方向である。）。
【００３９】
以上の実施形態にあっては、底面構成部材の一部をフック部としたが、上面構成部材、側面構成部材又は妻面構成部材の一部をフック部とすることも可能である。
【符号の説明】
【００４０】
１０ａ，１０ｂ連結体フック
１０ｃ，１０ｄ連結体フック
２０   上面構成部材
２１   取出口領域
２２   取出口用切込線
３０   底面構成部材
３１ａ−ｄ    フック部
３２   基端
３３ｐ 基端部
３３ｑ 捕捉部
３３ｒ 抜け止め部
３４   内側保持領域
３５   フック部用切込線
３６ｐ，３６ｑ連結スリット及びスリット用切込線
４１，４２    側面構成部材
５１，５２    妻面構成部材
１００ 衛生用紙収納カートン
２００  正面板
２０１  取っ手
Ｂ     底面
【図１】
0006588213.tif 000003
【図２】
0006588213.tif 000004
【図３】
0006588213.tif 000005
【図４】
0006588213.tif 000006
【図５】
0006588213.tif 000007
【図６】
0006588213.tif 000008
【図７】
0006588213.tif 000009
【図８】
0006588213.tif 000010